(57)【要約】【課題】既存の多様なサイズおよび形状の貯水タンクにも容易に適用でき、低コストのトイレ用冷房装置を提供する。【解決手段】便器洗浄用の貯水タンク内の水を冷却手段に供給する供給手段と、該供給手段からの水により空気を冷却する冷却手段と、該冷却手段において冷却に供された水を排出する排出手段と、冷却手段により冷却された空気を送風する送風手段と、少なくとも前記冷却手段と送風手段とが収納されるとともに前記貯水タンクに一体的に取り付けられるケース部とを有することを特徴とするトイレ用冷房装置。【選択図】図１
2005083698.tif 000002
【特許請求の範囲】
【請求項１】
便器洗浄用の貯水タンク内の水を冷却手段に供給する供給手段と、該供給手段からの水により空気を冷却する冷却手段と、該冷却手段において冷却に供された水を排出する排出手段と、冷却手段により冷却された空気を送風する送風手段と、少なくとも前記冷却手段と送風手段とが収納されるとともに前記貯水タンクに一体的に取り付けられるケース部とを有することを特徴とするトイレ用冷房装置。
【請求項２】
前記ケース部が長手方向および／または幅方向に伸縮可能に形成されている、請求項１のトイレ用冷房装置。
【請求項３】
前記供給手段が吸水ポンプからなる、請求項１または２のトイレ用冷房装置。
【請求項４】
前記送風手段が、送風ファンからなる、請求項１ないし３のいずれかに記載のトイレ用冷房装置。
【請求項５】
前記冷却手段が、貯留タンクからの水が流通される複数のチューブと、該チューブ間に配設されたフィンとを有するフィン−チューブ式熱交換器からなる、請求項１ないし４のいずれかに記載のトイレ用冷房装置。
【請求項６】
前記冷却手段が蒸発布式熱交換器からなる、請求項１ないし４のいずれかに記載のトイレ用冷房装置。
【請求項７】
前記冷却手段がシャワー式熱交換器からなる、請求項１ないし４のいずれかに記載のトイレ用冷房装置。
【請求項８】
前記ケース部内にヒータが付設されている、請求項１ないし７のいずれかに記載にトイレ用暖房装置。
【発明の詳細な説明】
【技術分野】
【０００１】
本発明は、家庭等のトイレ内に設置されるトイレ用冷房装置に関する。
【背景技術】
【０００２】
従来から、家庭等のトイレの冷房装置としては、複数のペルチェ素子と熱的に接合される熱交換器を有するもの（たとえば、特許文献１）や、圧縮機、蒸発器、凝縮器からなる冷凍回路を有するもの等が知られている（たとえば、特許文献２）。また、このような装置においては空気を冷却するためのコストが嵩むので、コスト等の低減を目的とし、トイレ内に設けられる便器水洗用の貯水タンク内の水を利用して空気を冷却し、該冷却された空気を用いて冷房する装置も提案されている（特許文献３）。
【０００３】
しかし、上記従来のようなトイレ用冷房装置は、トイレ内に設けられている便器水洗用の貯水タンク等とは別個独立に設置されるものであるため、既存のトイレ等に設置する場合には大がかりな工事が必要になる。また、装置が大型であるため、狭いトイレ内には設置自体が困難になる場合もある。
【特許文献１】特開平９−１１９６６０号公報
【特許文献２】特開平５−１０６８６６号公報
【特許文献３】特開平５−２２３２６９号公報
【発明の開示】
【発明が解決しようとする課題】
【０００４】
そこで本発明の課題は、装置全体のコストダウンを達成しつつ、設置スペースに大幅な制約のある既存のトイレ等にも容易に設置可能なトイレ用冷房装置を提供することにある。
【課題を解決するための手段】
【０００５】
上記課題を解決するために、本発明に係るトイレ用冷房装置は、便器洗浄用の貯水タンク内の水を冷却手段に供給する供給手段と、該供給手段からの水により空気を冷却する冷却手段と、該冷却手段において冷却に供された水を排出する排出手段と、冷却手段により冷却された空気を送風する送風手段と、少なくとも前記冷却手段と送風手段とが収納されるとともに前記貯水タンクに一体的に取り付けられるケース部とを有することを特徴とするものからなる。
【０００６】
このようなトイレ用冷房装置においては、便器洗浄用の貯水タンク内の水と空気（トイレ内の内気）とを熱交換することにより、空気を冷却できる。つまり、冷房を利用する夏期においては、通常、トイレ内の室温よりも貯水タンク内の水温の方が低くなっているので、貯水タンク内の水を利用し容易にしかも低コストで空気を冷却することができる。したがって、ペルチェ効果を利用する熱交換器等を用いる場合に比べて大幅にコストを低減できる。また、上記のようなトイレ用冷房装置においては、少なくとも冷却手段と送風手段とはケース部内に収納されており、該ケース部は貯水タンクに一体に設けられるので、設置スペースの限定される既存のトイレ等に対しても、専門業者による大がかりな工事をすることなく一般の購入者でも容易に設置することができる。
【０００７】
上記ケース部は、長手方向および／または幅方向に伸縮可能に形成されることが好ましい。ケース部をこのように形成すれば、多様なサイズ、形状の貯水タンクにケース部を容易に設けることができる。なお、たとえば、ケース部を構成する各部材同士をスライド可能に形成すれば、ケース部を容易に伸縮可能に形成することができる。
【０００８】
上記供給手段は、貯水タンク内の水を冷却手段に供給する機能を有するものであればよく、たとえば吸水ポンプから構成することができる。また、上記排水手段は、熱交換手段において熱交換（空気の冷却）に供された水を排水するドレン管から構成することができる。また、熱交換に供された水は再び貯水タンクに戻して循環させてもよく、また、系外に排出してもよい。なお、貯水タンク内の水は、使用者がトイレを使用する毎に新たに入れ替えられるので、上記のように一旦熱交換に供した水を循環させても水温が上昇して冷却効果が著しく低下することはない。
【０００９】
上記送風手段は、たとえば送風ファンから構成することができる。
【００１０】
上記冷却手段は、たとえば貯留タンクからの水が流通される複数のチューブと、該チューブ間に配設されたフィンとを有するフィン−チューブ方式の熱交換器から構成することができる。ただし、冷却手段は上記フィン−チューブ方式の熱交換器に限定されるものではなく、蒸発布式熱交換器やシャワー式熱交換器から構成することもできる。
【００１１】
上記ケース部内にはヒータ（たとえばシーズヒータ）を付設することも可能である。ヒータを付設すれば、トイレ用冷房装置に暖房機能を付与することもできる。
【発明の効果】
【００１２】
本発明に係るトイレ用冷房装置によれば、貯水タンク内に溜められる、便器洗浄用の水を利用し空気を冷却することができるので、ペルチェ効果や他の冷媒を使用する従来の装置に比べて、装置の製造コスト等を低減することができる。
【００１３】
また、少なくとも冷却手段と送風手段はケース部内に収納されており、ケース部は貯水タンクに一体的に設けられるので、既存の多様なタイプのトイレに対しても専門業者に依頼することなく、一般の購入者にとっても簡単な取り付け作業を行うだけで装置を設置することができる。
【発明を実施するための最良の形態】
【００１４】
以下に、本発明に係るトイレ用冷房装置の望ましい実施の形態を図面を参照して説明する。
図１ないし図９は、本発明の第１実施態様に係るトイレ用冷房装置を示している。図において、１はトイレ用冷房装置を示している。本実施態様においては、図１、図２に示すようにトイレ用送風機１は既存の貯水タンク２に一体に設けられている。貯水タンク２内には便器（図示略）を洗浄する便器洗浄用の水が貯留されている。貯水タンク２の上部には手洗い用の導水板２５が載置されている。導水板２５の上方には手洗い用の蛇口２７が突設されている。なお、２８はフローバルブを示している。そして本実施態様においては、既存の貯水タンク２の上部にトイレ用冷房装置１を載置しさらにその上に導水板２５が載置されている。
【００１５】
トイレ用冷房装置１は、図３ないし図５に示すように、便器洗浄用の水が貯留される貯水タンク２内の水を後述の冷却手段に供給する供給手段としての吸水ポンプ３を有している。吸水ポンプ３には、貯水タンク２内の水を汲み上げる吸水管４が接続されている。
【００１６】
吸水管４を介して汲み上げられた水は、冷却手段としての熱交換器５内に送られるようになっている。本実施態様においては、熱交換器５は貯水タンク２内から吸水された水が流通する複数のチューブと該チューブ間に配設されたフィンとを有するいわゆるフィン−チューブ式熱交換器から構成されている。なお、冷却手段は、フィン−チューブ式熱交換器に限定されるものではない。たとえば、蒸発布に含浸された水の気化熱を利用する蒸発布式熱交換器、あるいは散水部に空気を通過させ、該空気を冷却するいわゆるシャワー式熱交換器を用いてもよい。
【００１７】
熱交換器５内には、チューブ内を流通した水を排出する排出手段としての排水管６が接続されている。本実施態様においては、排水管６からの排水は再び貯水タンク２内に戻されるようになっている。なお、排水管６の途中に排水貯留用のタンク（図示略）を設け、該タンク内に一旦排水を溜めてから、貯水タンク２内あるいは系外に排出するようにしてもよい。
【００１８】
また、熱交換器５の上方には、該熱交換器５で熱交換（冷却）された空気をケース部７に設けられたルーバから外部へ送風するための送風手段としての送風ファン９が設けられている。熱交換器５および送風ファン９はケース部７内に収納されている。なお、ファン９にクロスフローファンを用いれば、ファンの設置スペースを大幅に低減することができる。
【００１９】
ケース部７は、図８、図９に示すように、断面略Ｌ字状の４個のケース部形成部材１０、１１、１２、１３と、ベース部材１４および防塵カバー１５から構成されている。形成部材１１、１３には、溝部１６、１７が設けられている。一方、形成部材１０、１２には、溝部１６、１７に挿入可能な先端部１８、１９が設けられている。先端部１８、１９の溝１６、１７内への挿入代を調整することにより、ケース部７の幅方向の寸法（図４の上下方向）の寸法が伸縮されるようになっている。また、形成部材１０、１１および形成部材１２、１３には互いに対応する位置に化粧ねじ２０が挿通される挿通孔（図示略）が設けられて、形成部材１０、１１および形成部材１２、１３が互いに連結されるようになっている（図６）。なお、部材１２、１３は図７に示すような接合構造において接合してもよい。
【００２０】
また、形成部材１０と形成部材１２との間には、ケース部７内への異物の進入を防止するための防塵カバー１５が介装されている。形成部材１０、１２および防塵カバー１５にも上記のような連通孔および化粧ねじ２０が設けられており、部材１０と部材１２の間隔が調整できるようになっている。
【００２１】
本体ベース１４は、断面略Ｌ字状に形成されている。本体ベース１４の壁２１には、熱交換器５へ空気を導入するルーバ２２が設けられている。一方、本体ベース１４の壁２３には、熱交換器５を通過し冷却された空気を送風ファン９によりケース部７の外に送風するためのルーバ２３が設けられている。また、本体ベース１４の上方は元々貯水タンク２に設けられていた手洗い用の導水板２５により覆われている。また、壁２３の先端には形成部材１１、１３に設けられた溝（図示略）に係合される突条２６が設けられており、部材１１と部材１３との間隔が調整できるようになっている。
【００２２】
上述のようにして、ケース部材７は長手方向にも伸縮可能に構成されている。
【００２３】
本実施態様のトイレ用冷房装置１においては、貯水タンク２内に貯留されている便器洗浄用の水を用いて空気が冷却されるので、容易にしかも低コストで冷却用の空気を得ることができる。また、少なくとも冷却手段としての熱交換器５および送風手段としての送風ファン９はケース部７内に収納され、該ケース部７は既存の貯水タンク２に一体的に設けられるので、スペースの限定される既存のトイレ内にも容易に設置できる。また、装置１の設置は、上述のように既存の貯水タンク２の上部に装置１を載置するだけなので、購入者等が自ら簡単にすることができる。
【００２４】
また、ケース部７は長手方向および／または幅方向に伸縮可能に構成されているので、既存の多様な貯水タンク２に対してもトイレ用冷房装置を容易に適用できる。
【００２５】
また、トイレ用冷房装置１には、暖房機能を付与することもできる。たとえば、図１０、図１１に示す本発明の第２実施態様に係るトイレ用冷房装置のように、熱交換器５の空気流通方向下流にヒータ２９を設け、冬期等において気温が低いときは、熱交換器５の運転を停止しヒータ２９を作動させれば、トイレ内を簡単に暖房することができる。なお、冷却手段としての熱交換器５、ヒータ２９は択一的に作動させることもできるが、双方を同時に作動させれば、空気の吹き出し温度を調節することもできる。
【産業上の利用可能性】
【００２６】
本発明は、既存の多様なサイズ形状の貯水タンクに容易に適用でき、低コストで良好な冷房効果を得ることができる。
【図面の簡単な説明】
【００２７】
【図１】本発明の第１実施態様に係るトイレ用冷房装置を備えたトイレの貯水タンクの概略構成図である。
【図２】図１の貯水タンクのＩＩ−ＩＩ方向からの矢視図である。
【図３】本発明の第１実施態様に係るトイレ用冷房装置の概略構成図である。
【図４】図３のトイレ用冷房装置のＩＶ−ＩＶ方向からの矢視図である。
【図５】図３のトイレ用冷房装置のＶ−Ｖ方向からの矢視図である。
【図６】図３のトイレ用冷房装置のケース部の形成部材の接合状態を示す拡大図である。
【図７】図６とは別の態様の接合状態を示す拡大図である。
【図８】図３のトイレ用冷房装置の分解平面図である。
【図９】図３のトイレ用冷房装置の分解側面図である。
【図１０】本発明の第２実施態様に係るトイレ用冷房装置の概略構成図である。
【図１１】図１０のトイレ用冷房装置のＸＩ−ＸＩ方向からの矢視図である。
【符号の説明】
【００２８】
１  トイレ用冷房装置
２  貯水タンク
３  吸水ポンプ
４  吸水管
５  熱交換器
６  排水管
７  ケース部
９  送風ファン
１０、１１、１２、１３  ケース部形成部材
１４  ベース部材
１５  防塵カバー
１６、１７  溝部
１８、１９  先端部
２０  化粧ねじ
２１、２３  壁
２２、２４  ルーバ
２５  導水板
２６  突条
２７  蛇口
２８  フローバルブ
２９  ヒータ
【図１】
2005083698.tif 000003
【図２】
2005083698.tif 000004
【図３】
2005083698.tif 000005
【図４】
2005083698.tif 000006
【図５】
2005083698.tif 000007
【図６】
2005083698.tif 000008
【図７】
2005083698.tif 000009
【図８】
2005083698.tif 000010
【図９】
2005083698.tif 000011
【図１０】
2005083698.tif 000012
【図１１】
2005083698.tif 000013